(57)【要約】  【課題】操作基板の制御部の複数の出力ポート及び複数の入力ポートにスイッチマトリックス回路を接続することにより多数のスイッチのダイナミックスキャンを行うスイッチ入力装置において、スイッチの操作を行わないときには可及的に電力消費を低減できるようにする。  【解決手段】一定時間スイッチ操作がないときなどに制御部２を省電動作制御に切換え、該省電動作制御実行時にダイナミックスキャンを中断することで省電を図りつつ制限されたスイッチ検出を行い、いずれかのスイッチＳＷの操作がなされたことを検出するとすべてのスイッチＳＷのダイナミックスキャンを再開して操作されたスイッチＳＷの正確な特定を行うようにする。【選択図】図１
2015159045.tif 000002
【特許請求の範囲】
【請求項１】
複数の走査用出力ポート及び複数の検出信号入力ポートを有する制御部と、前記複数の走査用出力ポートにそれぞれ対応する複数の走査信号線と前記複数の検出信号入力ポートにそれぞれ対応する複数の検出信号線とが複数のスイッチを介してマトリックス状に接続されてなるスイッチマトリックス回路とを備え、前記各走査信号線は対応する前記走査用出力ポートから出力される制御信号によってオン／オフ制御され、制御部は、前記複数の走査用出力ポートから前記制御信号を順次出力するダイナミックスキャン動作制御と、前記複数の走査用出力ポートのうちの一部からのみ前記制御信号を出力するか若しくはすべての走査用出力ポートからの前記制御信号の出力を停止する省電動作制御とを切換えて実行可能に構成されるとともに、省電動作制御実行中にいずれかの検出信号入力ポートにスイッチ走査信号が入力されるとダイナミックスキャン動作制御に切換えるように構成されていることを特徴とするスイッチ入力装置。
【請求項２】
請求項１に記載のスイッチ入力装置において、制御部は省電時出力ポートをさらに備え、該省電時出力ポートから出力される制御信号により前記複数の走査信号線のうち少なくとも一つがオン／オフ制御され、制御部は、省電動作制御実行中は前記省電時出力ポートから制御信号を出力し且つすべての走査用出力ポートからの制御信号の出力を停止し、ダイナミックスキャン動作制御実行中は前記省電時出力ポートからの制御信号の出力を停止するように構成されていることを特徴とするスイッチ入力装置。
【請求項３】
請求項２に記載のスイッチ入力装置において、前記省電時出力ポートは、該ポートから出力される制御信号によりすべての走査信号線がオン／オフ制御されるようにすべての走査信号線に接続されていることを特徴とするスイッチ入力装置。
【請求項４】
請求項１，２又は３に記載のスイッチ入力装置において、制御部は、ダイナミックスキャン動作制御実行中に所定の省電切換条件を満たすと省電動作制御に切換えるように構成されていることを特徴とするスイッチ入力装置。
【発明の詳細な説明】
【技術分野】
【０００１】
本発明は、多数のスイッチのうちいずれが操作されたかを検出するスイッチ入力装置に関する。
【背景技術】
【０００２】
この種従来のスイッチ入力装置として、例えば下記の特許文献１に開示されたダイナミックスキャン方式のものが一般に知られている。このダイナミックスキャン方式のスイッチ入力装置は、多数のスイッチとマイクロコンピュータ間の接続を、複数の走査ラインによりマトリクス状に接続し、多数のスイッチのオン／オフ状態の検出を、複数の走査ラインへの走査電圧の出力をスイッチング素子のオン／オフにより切り替えて時分割で行うものである。
【先行技術文献】
【特許文献】
【０００３】
【特許文献１】特開２００１−２０２１０５号公報
【発明の概要】
【発明が解決しようとする課題】
【０００４】
一方、家庭用のガスコンロなどにおいては、電源として電池を用いるものも多いが、上記従来のダイナミックスキャン方式によると常時走査電圧の出力切替によるスキャン動作を行う必要があり、スイッチング素子のオン／オフ切替時に電流が流れてスイッチの操作を行わないときでも電力を消費し、電池の寿命を低下させる要因となっていた。さらに、ガスコンロの主制御マイコンとは別に多数の操作スイッチの入力用のマイコンを設けることにより安価に入出力ポートを増加させることができて機能向上を図ることができるが、入力用マイコンを別途設けるためには、該入力用マイコンの消費電力増加分を可能な限り低減させる必要がある。
【０００５】
そこで、本発明は、スイッチの操作を行わないときには可及的に電力消費を低減することのできるダイナミックスキャン方式のスイッチ入力装置を提供することを目的とする。
【課題を解決するための手段】
【０００６】
上記目的を達成するために、本発明は、次の技術的手段を講じた。
【０００７】
すなわち、本発明のスイッチ入力装置は、複数の走査用出力ポート及び複数の検出信号入力ポートを有する制御部と、前記複数の走査用出力ポートにそれぞれ対応する複数の走査信号線と前記複数の検出信号入力ポートにそれぞれ対応する複数の検出信号線とが複数のスイッチを介してマトリックス状に接続されてなるスイッチマトリックス回路とを備え、前記各走査信号線は対応する前記走査用出力ポートから出力される制御信号によってオン／オフ制御され、制御部は、前記複数の走査用出力ポートから前記制御信号を順次出力するダイナミックスキャン動作制御と、前記複数の走査用出力ポートのうちの一部からのみ前記制御信号を出力するか若しくはすべての走査用出力ポートからの前記制御信号の出力を停止する省電動作制御とを切換えて実行可能に構成されるとともに、省電動作制御実行中にいずれかの検出信号入力ポートにスイッチ走査信号が入力されるとダイナミックスキャン動作制御に切換えるように構成されていることを特徴とするものである（請求項１）。
【０００８】
かかる本発明のスイッチ入力装置によれば、ダイナミックスキャン動作制御実行中は、複数の走査用出力ポートから順次出力される制御信号によって複数の走査信号線が順次オン／オフ制御され、使用者によってオン操作されたスイッチに対応する走査信号線がオンされると、導通されたスイッチを介して対応する検出信号線がオンして、対応する検出信号入力ポートにスイッチ走査信号が入力される。このときのスイッチ走査信号が入力された検出信号入力ポート番号と走査用出力ポート番号とによっていずれのスイッチが操作されたかを特定できる。一方、スイッチ操作の入力待機中は省電動作制御を実行させておくことができ、該省電動作制御実行中は少なくとも一つの走査用出力ポートからの制御信号の出力を停止して、すべての出力ポートの制御信号出力の合計時間を可能な限り短くすることによって、省電力で最低限のスイッチ操作の検出を行うように構成することができる。そして、省電動作制御実行中にいずれかの検出信号入力ポートがスイッチ走査信号を検出するとダイナミックスキャン動作制御に切換えられ、複数のスイッチの操作検出を行うことが可能になる。なお、本発明は、省電動作制御の具体的内容を特定のものに限定するものではなく、種々の制御態様とすることができ、例えば、一部の走査用出力ポートからの出力のみを有効として、制御信号が出力される走査用出力ポートに対応するスイッチのみを検出可能に構成したり、或いは、別の省電時出力ポートを設け、該省電時出力ポートを複数の走査信号線に接続して省電時出力ポートから出力される制御信号によって複数の走査信号線が一括してオン／オフ制御されるようにして、どのスイッチが操作されたかの特定を行うことはできないがいずれかのスイッチが操作されたことを検出可能に構成することもできる、後者の場合はその後ダイナミックスキャン動作制御を実行することによってどのスイッチが操作されたかを特定することができる。
【０００９】
上記本発明のスイッチ入力装置において、制御部は省電時出力ポートをさらに備え、該省電時出力ポートから出力される制御信号により前記複数の走査信号線のうち少なくとも一つがオン／オフ制御され、制御部は、省電動作制御実行中は前記省電時出力ポートから制御信号を出力し且つすべての走査用出力ポートからの制御信号の出力を停止し、ダイナミックスキャン動作制御実行中は前記省電時出力ポートからの制御信号の出力を停止するように構成されているものとすることができる（請求項２）。これによれば、省電動作制御実行中はすべての走査用出力ポートからの制御信号の出力を停止し、省電時出力ポートから出力される制御信号によって少なくとも一つの走査信号線をオン／オフ制御することによって、かかるオン／オフ制御される走査信号線に関連するいずれかのスイッチ操作がなされたことを検出することができ、かかる検出によってダイナミックスキャン動作制御を開始することでいずれのスイッチが操作されたかを正確に特定することができる。なお、省電時出力ポートから出力される制御信号は間欠的に出力されるパルス信号とすることができる。省電時出力ポートからＨＩＧＨ信号が出力されているときの消費電力がＬＯＷ信号が出力されているときの消費電力よりも大きい場合には、ＨＩＧＨ信号出力時間をＬＯＷ信号出力時間より短くすることによって省電力化を図ることができる。反対に、ＬＯＷ信号が出力されているときの消費電力がＨＩＧＨ信号が出力されているときの消費電力よりも大きい場合には、ＬＯＷ信号出力時間をＨＩＧＨ信号出力時間より短くすることによって省電力化を図ることができる。なお、上記省電時出力ポートは、上記制御部と互いに通信可能に接続された別の制御部に設けることもできる。
【００１０】
さらに、前記省電時出力ポートは、該ポートから出力される制御信号によりすべての走査信号線がオン／オフ制御されるようにすべての走査信号線に接続されているものとすることができる（請求項３）。これによれば、省電動作制御実行中に複数のスイッチのいずれを操作してもダイナミックスキャン動作制御に切換えることができる。
【００１１】
また、制御部は、ダイナミックスキャン動作制御実行中に所定の省電切換条件を満たすと省電動作制御に切換えるように構成することができる（請求項４）。これによれば、所定の省電切換条件を満たすことにより自動的に省電動作制御に切換えることができ、更なる省電力化を図ることができる。なお、省電切換条件としては、例えば、所定時間以上いずれのスイッチも操作されなかったこととすることができ、また、ダイナミックスキャン動作制御が所定時間実行されたこととすることができ、その他適宜の条件とすることができる。
【００１２】
なお、スイッチ入力装置の電源が電池である場合に本発明は特に好適であり、電源である電池の一層の長寿命化を図ることができる。
【発明の効果】
【００１３】
本発明の請求項１に係るスイッチ入力装置によれば、ダイナミックスキャン動作制御実行中は、複数の走査用出力ポートから順次出力される制御信号によって複数の走査信号線が順次オン／オフ制御され、使用者によってオン操作されたスイッチに対応する走査信号線がオンされると、導通されたスイッチを介して対応する検出信号線がオンして、対応する検出信号入力ポートにスイッチ走査信号が入力される。このときのスイッチ走査信号が入力された検出信号入力ポート番号と走査用出力ポート番号とによっていずれのスイッチが操作されたかを特定できる。一方、スイッチ操作の入力待機中は省電動作制御を実行させておくことができ、該省電動作制御実行中は少なくとも一つの走査用出力ポートからの制御信号の出力を停止して、すべての出力ポートの制御信号出力の合計時間を可能な限り短くすることによって、省電力で最低限のスイッチ操作の検出を行うように構成することができる。そして、省電動作制御実行中にいずれかの検出信号入力ポートがスイッチ走査信号を検出するとダイナミックスキャン動作制御に切換えられ、複数のスイッチの操作検出を行うことが可能になる。
【００１４】
本発明の請求項２に係るスイッチ入力装置によれば、省電動作制御実行中はすべての走査用出力ポートからの制御信号の出力を停止し、省電時出力ポートから出力される制御信号によって少なくとも一つの走査信号線をオン／オフ制御することによって、かかるオン／オフ制御される走査信号線に関連するいずれかのスイッチ操作がなされたことを検出することができ、かかる検出によってダイナミックスキャン動作制御を開始することでいずれのスイッチが操作されたかを正確に特定することができる。
【００１５】
本発明の請求項３に係るスイッチ入力装置によれば、省電動作制御実行中に複数のスイッチのいずれを操作してもダイナミックスキャン動作制御に切換えることができる。
【００１６】
本発明の請求項４に係るスイッチ入力装置によれば、所定の省電切換条件を満たすことにより自動的に省電動作制御に切換えることができ、更なる省電力化を図ることができる。
【図面の簡単な説明】
【００１７】
【図１】本発明の第１の実施形態に係るスイッチ入力装置の概略回路図である。
【図２】同スイッチ入力装置のタイミングチャートである。
【図３】本発明の第２の実施形態に係るスイッチ入力装置の概略回路図である。
【図４】同スイッチ入力装置のタイミングチャートである。
【発明を実施するための形態】
【００１８】
以下、本発明の好適な実施形態を図面に基づいて説明する。
【００１９】
図１は、本発明の第１の実施形態に係るスイッチ入力装置１の回路構成を示しており、該スイッチ入力装置１は、特にガスコンロの多数の操作スイッチＳＷの操作検出装置として好適に用いることができるものである。ガスコンロは、電池を電源として動作するものであり、左コンロ用の各種設定操作スイッチ、中コンロ用の各種設定操作スイッチ、右コンロ用の各種設定操作スイッチが、それぞれ５〜８つ程度設けられ、さらに、グリル用の各種設定操作スイッチが複数個設けられるため、総計数十個ものスイッチＳＷが設けられる。各スイッチＳＷは、軽く触れるだけで操作できる機械式若しくは静電式のタッチスイッチを採用することができる。該スイッチＳＷは操作を止めると初期状態に自動的に戻る構成のものを採用するのが好ましい。また、各スイッチＳＷは、操作されていない状態が非導通状態で操作されると導通状態となるものとしている。なお、ガスコンロは、テーブル式のものであってもよく、ビルトインタイプものであってもよい。
【００２０】
本実施形態のスイッチ入力装置１は、マイクロプロセッサ２（制御部）を備えており、このマイクロプロセッサ２の多数のＩ／Ｏポートのうち複数（例えば５つ）のポートは走査用出力ポート（ＣＯＭ１〜５）として設定され、他の一つのＩ／Ｏポートは省電時出力ポート（以下、「省電ＣＯＭ」という。）として設定され、さらに別の複数（例えば１０個）のＩ／Ｏポートは検出信号入力ポート（ＳＷ入力１〜１０）として設定されている。このマイクロプロセッサ２も、上記電池を電源として動作する。なお、図１においては、ＣＯＭ４、ＣＯＭ５及びＳＷ入力４以降に関連する回路配線やスイッチを図示省略して示している。
【００２１】
また、スイッチ入力装置１は、複数の走査信号線３と複数の検出信号線４とが上記複数のスイッチＳＷを介してマトリックス状に接続されてなるスイッチマトリックス回路５を備えている。走査信号線３の本数は走査用出力ポートの数と同一であり、各走査信号線３がそれぞれ別の走査用出力ポートに対応しており、各走査用出力ポートから制御パルス信号（制御信号）が出力されると、すなわち、各走査用出力ポートがＨＩＧＨ出力時に対応する走査信号線３がオン状態（例えば３Ｖ）となり、各走査用出力ポートから制御パルス信号が出力されないとき、すなわち、各走査用出力ポートがＬＯＷ出力時に対応する走査信号線３がオフ状態（例えば０Ｖ）となるように対応する走査用出力ポートと走査信号線３とが回路接続されて、これにより各走査信号線３は対応する走査用出力ポートから出力される制御パルス信号によってオン／オフ制御されるようになっている。
【００２２】
より詳細には、各走査用出力ポートには、電流制限抵抗Ｒ１を介してｎｐｎ型トランジスタＴｒ１のベースが接続されている。該トランジスタＴｒ１のエミッタはグラウンドＧＮＤに接続されるとともに、ベースはプルダウン抵抗Ｒｄを介してグラウンドＧＮＤに接続されている。該トランジスタＴｒ１のコレクタは、電流制限抵抗Ｒ２を介してｐｎｐ型トランジスタＴｒ２のベースに接続されている。該トランジスタＴｒ２のエミッタは３Ｖ電源ラインに接続されるとともに、ベースはプルアップ抵抗Ｒｕを介して電源ラインに接続され、コレクタ出力が対応する走査信号線３に接続されている。したがって、各走査用出力ポートのＬＯＷ出力時はトランジスタＴｒ１がオフし、トランジスタＴｒ２のベースがプルアップされて該トランジスタＴｒ２がオフするため、走査用出力ポートからも電源ラインからも電流がグラウンドＧＮＤに流れず電力消費がない。一方、走査用出力ポートがＨＩＧＨ出力になると、トランジスタＴｒ１がオンするため該ポートからエミッタ電流がグラウンドＧＮＤに流れるとともに、トランジスタＴｒ２のベースが接地されて該トランジスタＴｒ１がオンし、電源ラインからトランジスタＴｒ２のベース電流が電流制限抵抗Ｒ２及びトランジスタＴｒ１を介してグラウンドＧＮＤに流れるため、いずれのスイッチＳＷを操作していないにもかかわらず微弱ながらも無駄な電力消費が生じることとなる。
【００２３】
また、本実施形態に係るスイッチ入力装置では、省電ＣＯＭが上記複数の走査用出力ポートに追加して設けられており、該省電ＣＯＭから制御パルス信号が出力（ＨＩＧＨ出力時）されるとすべての走査信号線３がオン状態となり、省電ＣＯＭから制御パルス信号が出力されないとき（ＬＯＷ出力時）には、すべての走査信号線３がオフ状態となるように、省電ＣＯＭとすべての走査信号線３とが回路接続されて、これによりすべての走査信号線３が省電ＣＯＭから出力される制御パルス信号によって一括でオン／オフ制御されるようになっている。走査信号線３を省電ＣＯＭと接続する回路構成は上記走査用出力ポートとの接続とほぼ同様であり、異なるところは、トランジスタＴｒ２のコレクタ出力が整流器Ｄ１を介して複数の走査信号線３にそれぞれ接続されている点である。
【００２４】
各スイッチＳＷの出力側は、整流器Ｄ２を介して対応する検出信号線４にそれぞれ接続され、各検出信号線４は所定の入力回路５を介して対応する検出信号入力ポートに接続されている。検出信号線４の本数も検出信号入力ポートの数に対応して同数とされている。
【００２５】
制御部２は、複数の走査用出力ポートから制御パルス信号を順次出力するとともに省電ＣＯＭからの制御パルス信号の出力を停止するダイナミックスキャン動作制御と、すべての走査用出力ポートからの制御パルス信号の出力を停止するとともに省電ＣＯＭから制御パルス信号を間欠的に出力する省電動作制御とを切換えて実行可能に構成されている。これらいずれの制御の実行中も検出信号入力ポートの監視は継続して実行されている。なお、制御部２は、スローモードやスリープモードなどの各種動作モードを有するものを採用することができ、省電動作制御中はスローモードなどに切換えることによって、制御部２自体の消費電力も大きく低減させることができる。
【００２６】
したがって、ダイナミックスキャン動作制御実行中は、いずれかのスイッチＳＷが押されていると、該スイッチＳＷに対応する走査用出力ポート３から制御パルス信号が出力されたときに対応する検出信号入力ポートにスイッチ操作検出信号（ＨＩＧＨ信号）が入力され、かかる走査用出力ポート番号と検出信号入力ポート番号とによってどのスイッチＳＷが操作されているかを特定することができる。一方、省電動作制御実行中は、すべての走査信号線３が同時にオン／オフされるため、操作されているスイッチＳＷの特定を行うことはできないが、操作されたスイッチＳＷに対応する検出信号入力ポートにスイッチ検出信号が入力されるため、いずれかのスイッチＳＷが操作されたことは検出できる。
【００２７】
そして、制御部２は、省電動作制御実行中にいずれかの検出信号入力ポートにスイッチ走査信号が入力されるとダイナミックスキャン動作制御に切換えるように制御構成されている。
【００２８】
図２は本実施形態に係るスイッチ入力装置１が省電動作制御からダイナミックスキャン制御に切り替わるときのタイミングチャートをの一例を示しており、省電動作制御中は省電ＣＯＭから比較的長いパルス間隔で間欠的に制御パルス信号が出力されている。該制御パルス信号のパルス間隔は、例えば、各走査用出力ポートから出力される制御パルス信号のパルス幅と同じか或いはより大きくすることができるが、パルス間隔が長すぎるとスイッチ操作時の応答性が悪くなり、短すぎると省電効果が小さくなるため、実回路構成において応答性や操作感を検査しつつ適切に設計することが好ましい。また、制御パルス信号のパルス幅は、数十マイクロ秒程度とすることができる。
【００２９】
図１に図示した複数のスイッチＳＷのうち、例えば右端のスイッチＳＷが操作されると、該操作時点の次の制御パルス信号が省電ＣＯＭから出力されたときにＳＷ入力３の入力ポートにスイッチ検出信号が入力され、該入力を検出すると制御部２はダイナミックスキャン動作制御を開始し、省電ＣＯＭ出力を停止して複数の走査用出力ポートＣＯＭ１〜ＣＯＭ５から順次制御パルス信号を出力し、いずれか一の走査用出力ポートから制御パルス信号を出力しているときは他の出力ポートはＬＯＷ出力とする。かかるダイナミックスキャン動作制御によって、ＣＯＭ１からの出力時にＳＷ入力３に応答信号が入力されることが分り、右端のスイッチＳＷが操作されていると特定できる。
【００３０】
ダイナミックスキャン動作制御は、適宜のタイミングで終了して再度省電動作制御に切換えて実行することができる。例えば、ダイナミックスキャン動作制御中に所定時間（例えば５分間）いずれのスイッチＳＷの操作もされなかったときに省電動作制御に切換えることができ、これによれば、使用者が調理のために操作を行っている間はダイナミックスキャン動作制御を継続させることができる。また、ダイナミックスキャン動作制御の開始から所定時間継続すると省電動作制御に切換えることもできる。さらに、省電動作制御からダイナミックスキャン動作制御に切換えた直後に操作されているスイッチＳＷの特定がなされれば省電動作制御に切換えることも可能であり、これによれば、ダイナミックスキャン動作制御の実行時間を可及的に低減させて、一層の消費電力低減を図ることができる。また、上記制御部２や、該制御部２とは別の他の制御部（マイクロプロセッサ）は、所定の複数の調理動作モード、例えば、焼き魚モード、炊飯モード、湯沸かしモード、麺ゆでモードなどを実行可能に構成でき、これらいずれかの調理モードの実行中はダイナミックスキャン動作制御を継続して省電動作制御に切り替わらないように構成することもできる。さらに、タイマーカウントにより所定時間の経過によって省電動作制御に切換える構成において、いずれかの調理モードの実行中はタイマーのカウントを中断若しくは中止することができ、調理モードの終了時にタイマーのカウントを再開乃至リセットすることができる。さらに、操作したスイッチＳＷによって省電動作制御に切換えるまでの時間を個々に設定しておくこともできる。
【００３１】
なお、上記第１実施形態では、省電ＣＯＭをすべての走査信号線３に回路接続したが、すべてのスイッチＳＷのうちの主要なものや一連の操作の最初に操作されるものを一部の検出信号線に集約して接続しておき、かかる一部の検出信号線にのみ省電ＣＯＭを回路接続しておくことも可能である。
【００３２】
図３及び図４は本発明の第２実施形態に係るスイッチ入力装置１を示しており、上記第１実施形態と同様の構成については同符号を付して詳細説明を省略し、異なる構成、作用効果について説明する。
【００３３】
本第２実施形態では、省電ＣＯＭを設けておらず、回路構成としては従来技術と同様のものであるが、マイクロプロセッサ２の制御構成に特徴を有している。すなわち、本第２実施形態においても、マイクロプロセッサ２は省電動作制御とダイナミックスキャン動作制御とを切換えて実行可能であるが、省電動作制御実行中は、一部の走査用出力ポート、例えば図４に示す例ではＣＯＭ１〜３のみから間欠的に順次制御パルス信号を出力してＣＯＭ４及びＣＯＭ５からの制御パルス信号の出力を停止するように構成している。この省電動作制御実行中にＣＯＭ１〜ＣＯＭ３から出力される制御パルス信号のパルス幅及びパルス間隔は、ダイナミックスキャン動作制御実行中にＣＯＭ１〜ＣＯＭ３から出力される制御パルス信号と同じであり、マイクロプロセッサ２における内部制御としては省電動作制御中かダイナミックスキャン動作制御中かにかかわらずＣＯＭ１〜３からの制御パルス信号出力を継続するように構成できる。一方、ＣＯＭ４及びＣＯＭ５からの制御パルス信号出力は、ダイナミックスキャン動作制御中にのみ行い、省電動作制御に切換えられると中断するように構成されている。
【００３４】
本実施形態によっても、省電動作制御中にＣＯＭ１〜ＣＯＭ３のいずれかに接続されたスイッチＳＷ、例えば図３の右端のスイッチＳＷが操作されると、ＳＷ入力３に応答信号（スイッチ検出信号）が入力され、該入力を検知するとその時点からダイナミックスキャン動作制御に切換えて実行することで、ＣＯＭ４及びＣＯＭ５に接続されたスイッチの操作を検出可能となる。また、本実施形態の場合には、ダイナミックスキャン動作制御実行中でなければＣＯＭ４及びＣＯＭ５に接続されたスイッチの操作の検出を行うことができないため、ＣＯＭ４及びＣＯＭ５には、一連の操作の最初に操作されるようなスイッチＳＷを接続しないようにするとともに、ダイナミックスキャン動作制御を想定される調理時間に見合った十分長い時間継続するように構成するか、あるいは、いずれかの調理モード実行中はダイナミックスキャン動作を継続するように構成することが好ましい。
【００３５】
本発明は上記実施形態に限定されるものではなく適宜設計変更できる。例えば、省電ＣＯＭは、上記マイクロプロセッサ２と相互に通信可能に接続された他のマイクロプロセッサに設けることができる。例えば、他のマイクロプロセッサをガスコンロのメインマイコンとして機能させ、上記マイクロプロセッサ２を操作回路基板に設けた入出力用サブマイコンとして機能させることができる。また、上記実施形態では制御部２の走査用出力ポートとスイッチマトリックス回路５の走査信号線３とを接続する回路をトランジスタ回路によって構成したが、ＦＥＴその他のスイッチング素子により回路構成してもよく、また、制御部２を構成するマイクロプロセッサのＩ／Ｏ出力ポートの仕様によっては走査用出力ポートを走査信号線３に直結してもよい。
【符号の説明】
【００３６】
１    スイッチ入力装置
２    制御部（マイクロプロセッサ）
３    走査信号線
４    検出信号線
ＳＷ  スイッチ
ＣＯＭ１〜ＣＯＭ５  走査用出力ポート
省電ＣＯＭ          省電時出力ポート
ＳＷ入力１〜１０    検出信号入力ポート
【図１】
2015159045.tif 000003
【図２】
2015159045.tif 000004
【図３】
2015159045.tif 000005
【図４】
2015159045.tif 000006